(57)【要約】　　　（修正有）【課題】必要に応じてさまざまな大きさの円形状又は多角形状のものを自由に作ることができ、更に容器本体に対して台を簡単に取りつけることにより重ねて使用できる料理用紙重箱の提供。【解決手段】本発明は、円形状又は多角形状の底板の下方内側に、前記底板より幅狭の円筒状又は多面体状となる高さを低く設定した嵌合板を用いた台を挿入して側板内面に当接させて固定し、嵌入させる容器本体の底の突出部を形成して側板上端を支持した状態で固定して容器本体を製作する。【選択図】図７
2004010117.tif 000002
【特許請求の範囲】
【請求項１】
円形状又は多角形状の底板側面に、側板を円筒状又は多面体状に固定することにより組み立てた容器本体を製作してなる料理用紙重箱。
【請求項２】
側板の長さを、底板の側面の全周にわたる長さに設定した請求項１記載の料理用紙重箱。
【請求項３】
円形状又は多角形状の側板の下方から底板及び側板より幅狭の円筒状又は多面体状となる内側板を挿入し、また、別の円筒状又は多面体状とした底板及び側板より幅狭の円筒状又は多面体状となる内側板を、側板の上方から挿入して側板内面に当接させることにより途中に位置させて底板を上げ底とし、上下方の底板を接合した状態で固定して容器本体を製作してなる請求項１、２記載の料理用紙重箱。
【請求項４】
円形状又は多角形状の底板の下方内側に、前記底板より幅狭の円筒状又は多面体状となる高さを低く設定した嵌合板を用いた台を挿入して側板内面に当接させて固定し、嵌入させる容器本体の底の突出部を形成して側板を支持した状態で固定して容器本体を製作してなる請求項３記載の料理用紙重箱。
【請求項５】
円形状又は多角形状の上板の周囲を、帯状の側板を形成するように折曲して固定し、前記上板より幅狭の円筒状又は多面体状となる高さを低く設定した嵌合部材を用いた台を挿入して側板内面に当接させて固定し、前記容器本体に嵌入しうる大きさに設定した蓋体をも備えた請求項４記載の料理用紙重箱。
【請求項６】
料理品を盛りつけるために容器本体の上方内側の高さより低く設定した中箱が載置された請求項５記載の料理用紙重箱。
【発明の詳細な説明】
【０００１】
【発明が属する技術分野】
本発明は、紙でできた円筒状又は多面体状の容器であり、具体的には会席料理等を収納するために用いられる料理用紙重箱に関するものである。
【０００２】
【従来の技術】
通常、円筒状又は多面体状の紙重箱を製作する場合、紙製の箱体の内面に側面の高さより長い中箱を嵌入して接着剤等で固定することにより紙重箱を製作していた。
【０００３】
【発明が解決しようとする課題】
本発明は、必要に応じてさまざまな大きさの円形状又は多角形状のものを自由に作ることができ、更に容器本体に対して台を簡単に取りつけることにより重ねて使用できる料理用紙重箱を提供することを目的としている。
【０００４】
【課題を解決するための手段】
上記目的を達成するために、本発明は、円形状又は多角形状の底板側面に、側板を円筒状又は多面体状に固定することにより組み立てた容器本体を製作してなる料理用紙重箱である。
【０００５】
上記の目的を達成するために、本発明は、側板の長さを、底板の側面の全周にわたる長さに設定した請求項１記載の料理用紙重箱である。
【０００６】
上記の目的を達成するために、本発明は、円形状又は多角形状の側板の下方から底板及び側板より幅狭の円筒状又は多面体状となる内側板を挿入し、また、別の円筒状又は多面体状とした底板及び側板より幅狭の円筒状又は多面体状となる内側板を、側板の上方から挿入して側板内面に当接させることにより途中に位置させて底板を上げ底とし、上下方の底板を接合した状態で固定して容器本体を製作してなる請求項１、２記載の料理用紙重箱である。
【０００７】
上記の目的を達成するために、本発明は、円形状又は多角形状の底板の下方内側に、前記底板より幅狭の円筒状又は多面体状となる高さを低く設定した嵌合板を用いた台を挿入して側板内面に当接させて固定し、嵌入させる容器本体の底の突出部を形成して側板を支持した状態で固定して容器本体を製作してなる請求項３記載の料理用紙重箱である。
【０００８】
上記の目的を達成するために、本発明は、円形状又は多角形状の上板の周囲を、帯状の側板を形成するように折曲して固定し、前記上板より幅狭の円筒状又は多面体状となる高さを低く設定した嵌合部材を用いた台を挿入して側板内面に当接させて固定し、前記容器本体に嵌入しうる大きさに設定した蓋体をも備えた請求項４記載の料理用紙重箱である。
【０００９】
上記の目的を達成するために、本発明は、料理品を盛りつけるために容器本体の上方内側の高さより低く設定した中箱が載置された請求項５記載の料理用紙重箱である。
【００１０】
【発明の実施の形態】
本発明に係る料理用紙重箱の実施の態様を図面を参照して説明する。
図１は本発明に係る代表的実施例の料理用紙重箱の斜視図、図２は図１の蓋体の斜視図、図３は図１の容器上段に中箱を載置していない状態の斜視図、図４は図１の容器中段に中箱を載置していない状態の斜視図、図５は図１の容器下段に中箱を載置していない状態の斜視図、図６は図１のＣ−Ｃ線断面による側板部の詳細断面図、図７は図１の容器本体に中箱を載置していない状態のＢ−Ｂ線断面図、図８は図７の蓋体の断面図、図９は図７の容器上段の断面図、図１０は図７の容器中段の断面図、図１１は図７の容器下段の断面図、図１２は中箱の斜視図である。
【００１１】
本発明に係る料理用紙重箱は、図１に示すように、容器本体１と蓋体２とよりなり、図例のものは、３段重ねの容器本体１の上に蓋体２を設けたものであり、いずれも厚紙を利用して製作し、表面に友禅柄をあしらえた貼紙を用い、又は一般貼紙を用い、図１２に示すＰＰ表面貼加工紙により製作された中箱９を容器本体１に載置して、会席料理等を収納するための重箱として用いられるものである。
【００１２】
本発明に係る料理用紙重箱の構成を図２から図５で説明するが、全ての行程は接着剤等で接合、固定される。図２から図５は中箱を載置していない状態の図１の分解図であり、図２に示すように、四方を折曲した蓋部材１１に表面紙８を貼付して形成し、嵌合板６の四方を折曲し形成した嵌合部１２を接合することにより、蓋体２が完成する。
【００１３】
本発明に係る料理用紙重箱は、図３、図４に示すように、底板７の側面に表面紙８を貼付した側板部１３を設け、嵌合板６の四方を折曲して形成した嵌合部１２を底板７と接着剤等で接合して貼り付け、容器本体に対して台を取りつけたものが完成する。
【００１４】
図５に示す本発明に係る料理用紙重箱は、図３，図４に取りつけられている台を除いた状態のものであり、底板７には裏面紙１４が貼付されている。
【００１５】
本発明に係る料理用紙重箱の側板部１３は、図６に示すように、内側板４、側板３、外側板５、表面紙８により形成されている。
【００１６】
図７は３段重ねの中箱を載置しない状態の容器本体１の上に蓋体２を設けたものの３段に重なった様子を示しており、図８に示すように、四方を折曲して形成された蓋部材１１に表面紙８を貼り付け、次に、嵌合板６の上板部の四方を折曲して形成された嵌合部１２を、既に形成されている蓋部材１１と接合、貼付して蓋体２が完成する。
【００１７】
図９に示すように、本発明に係る料理用紙重箱の中箱を載置していない状態の容器本体１の上段は、側板３、内側板４、外側板５、嵌合板６、表面紙８とで構成されている。厚紙を多角形状に切断した底板７の周囲に内側板４を折曲して多面体状にした容器上部と、厚紙を多角形状に切断した底板７の周囲に内側板４を折曲して多面体状にした容器下部とをそれぞれの底板７、７を接合して形成した内側板４，４による側板部に、先端同士を突き合わせて多面体状にした側板３と外側板５を折曲して接合し、表面紙８を貼付する。次に、嵌合板６の底板部の四方を折曲して形成された嵌合部１２を、既に形成されている容器本体に下方より嵌入、接着することにより台の付いた容器が完成する。図１０も同様である。
【００１８】
図１１に示すように、本発明に係る料理用紙重箱の中箱を載置していない状態の容器本体１の下段は、側板３、内側板４、外側板５、表面紙８、裏面紙１４とで構成されており、底板７に裏面紙１４を貼付した、図９、図１０の嵌合板６の接合されていない状態のものである。
【００１９】
本発明に係る料理用紙重箱の中箱は、図１２に示すように、上面を開放した有底の、略四角形の容器本体１に内接するように折曲された箱であり、ＰＰ表面貼加工紙にて製作されている。
【００２０】
そして、本実施例の料理用紙重箱によれば、図１及び図７に示すように、容器本体１を上下に位置させ、上方の容器本体１の嵌合部１２を、下方の容器本体１の内側板４内に嵌入することにより、容器本体１を重ねた状態に保持することができ、更に、蓋体２の嵌合部１２を容器本体１の内側板４に内嵌することにより、蓋を閉じることができる。
【００２１】
このように本実施例の料理用紙重箱によれば、底板７の大きさに合わせて帯状の側板３を折曲して接着剤等で固定することにより、容器本体１を製作することができるので、底板７の大きさを変えるだけで、小さなものから大きなものまで、さまざまな大きさの容器本体１を自由に製作することができる。しかも、容器本体１の側板３に対して、内側板４や外側板５を多面体状にして重ねて接着剤等で固定することができるので、強度の優れた料理用紙重箱を自由に製作することができる。特に、容器本体１の側板３内において、底板７、７を上下から接着剤等で固定するので、側板３に対して底板７も固定されて、より強度的に優れた料理用紙重箱とすることができる。
【００２２】
更に、本実施例の料理用紙重箱によれば、内側板４内面に、該内側板４の深さより長い高さを有する嵌合板６を、先端同士を突き合わせて多面体状に閉じて接着剤等で固定するだけで、上下に重ね合わせて嵌合できる容器本体１を、簡単に製作することができる。
【００２３】
また、本実施例の料理用紙重箱全体を紙で製作することができるので、不要になったときには、簡単に焼却を行うことができ、環境に優しいものとなる。
【００２４】
尚、上述した料理用紙重箱は、完全に略正方形状のものを図示しているが、容器本体１の底板７を、円形、又は、四角形、六角形、八角形等の多角形とし、側板３等を巻回又は折曲することにより、円形状又は多角形状の容器本体１を製作することができる。同様に、中箱も円形状又は多角形状の箱として製作することができる。
【００２５】
【発明の効果】
本発明に係る料理用紙重箱は、円形状又は多角形状の底板の大きさに合わせて帯状の側板を巻回又は折曲して接着剤等で固定することにより、容器本体を製作することができるので、底板の大きさを変えるだけで、小さなものから大きなものまで、さまざまな大きさの容器本体を自由に製作することができる料理用紙重箱である。
【００２６】
本発明に係る料理用紙重箱は、底板の側面の全周にわたって側板を巻回又は折曲し、側板の両端が突き合わされた状態となるので、表面に段差がなく、円形状又は多角形状の美観に優れた箱に仕上げることができる料理用紙重箱である。
【００２７】
本発明に係る料理用紙重箱は、側板より幅狭の円筒状又は多面体状とした内側板を有する上方の底板と、側板より幅狭の円筒状又は多面体状とした内側板を有する下方の底板とを当接させることにより、円筒状又は多面体状の側板に対して途中に位置させた底板を簡単に固定することができる料理用紙重箱である。
【００２８】
本発明に係る料理用紙重箱は、容器本体の側板内外に、内側板、外側板を当接させて三重構造とするとともに、容器本体の底の突出部を嵌入させることで側板部を支持した状態で固定するので、より強度の優れた料理用紙重箱とすることができる。
【００２９】
本発明に係る料理用紙重箱は、円形状又は多角形状の上板側面に、帯状に側板を全周にわたって折曲し、固定して蓋体を製作することができるので、容器本体の大きさに合わせて蓋体も簡単に製作することができる料理用紙重箱である。
【００３０】
本発明に係る料理用紙重箱は、料理品を盛りつけるための中箱の素材を替えて載置することにより、用途の広い料理用紙重箱とすることができる。
【図面の簡単な説明】
【図１】本発明に係る代表的実施例の料理用紙重箱の斜視図である。
【図２】図１の蓋体の斜視図である。
【図３】図１の容器上段に中箱を載置していない状態の斜視図である。
【図４】図１の容器中段に中箱を載置していない状態の斜視図である。
【図５】図１の容器下段に中箱を載置していない状態の斜視図である。
【図６】図１のＣ−Ｃ線断面による側板部の詳細断面図である。
【図７】図１の容器本体に中箱を載置していない状態のＢ−Ｂ線断面図である。
【図８】図７の蓋体の断面図である。
【図９】図７の容器上段の断面図である。
【図１０】図７の容器中段の断面図である。
【図１１】図７の容器下段の断面図である。
【図１２】中箱の斜視図である。
【符号の説明】
Ａ　料理用紙重箱
１　容器本体
２　蓋体
３　側板
４　内側板
５　外側板
６　嵌合板
７　底板
８　表面紙
９　中箱
１０接合部
１１蓋部材
１２嵌合部
１３側板部
１４裏面紙
１５折返部
１６ＰＰ表面貼加工紙
【図１】
2004010117.tif 000003
【図２】
2004010117.tif 000004
【図３】
2004010117.tif 000005
【図４】
2004010117.tif 000006
【図５】
2004010117.tif 000007
【図６】
2004010117.tif 000008
【図７】
2004010117.tif 000009
【図８】
2004010117.tif 000010
【図９】
2004010117.tif 000011
【図１０】
2004010117.tif 000012
【図１１】
2004010117.tif 000013
【図１２】
2004010117.tif 000014